(57)【特許請求の範囲】
【請求項１】
情報端末機を係止・保持する情報端末機収納ケースであって、
前記情報端末機収納ケースは、情報端末機が収納される収納ケース本体の前面を四角形状に刳り貫き、該刳り貫かれた開口部の周縁に内側方向に突出する縁取り舌片を周設すると共に、該収納ケース本体の背面部には情報端末機のカメラレンズ部を回避するレンズ穴を設け、
前記収納ケース本体の外形周縁の四隅コーナー部には外側方向に突出するストラップ通し部を形成し、
該ストラップ通し部に形成されている差し込みスリットを備えるストラップ通し穴に長さ調節機能を備えるストラップを挿通させてストラップ通し部間の長さを其々調節することによって、情報端末機の使用目的に合わせて多様に係止・保持することができることを特徴とする情報端末機収納ケース。
【請求項２】
前記収納ケース本体の外形周縁の四隅コーナー部に外側方向に突出するストラップ通し部を形成し、
該ストラップ通し部の対角線を挟んで対称に形成される貫通孔にリング差し込みスリットを通してストラップ挿通リングを貫入させると共に、該ストラップ挿通リングに長さ調節機能を備えるストラップを挿通させてストラップ通し部間の長さを其々調節することができることを特徴とする請求項１記載の情報端末機収納ケース。
【請求項３】
前記収納ケース本体の外形周縁の四隅コーナー部に対角線を挟んで対称に形成される係止突起を設け、
門型状に形成され、且つコーナー状に延設される内壁側部に係止穴を設けたストラップ挿通カバーを前記コーナー部の係止突起に当接させて落とし込み、該ストラップ挿通カバーを装着することによって形成されるストラップ通し穴に長さ調節機能を備えるストラップを挿通させてストラップ通し部間の長さを其々調節することができることを特徴とする請求項１記載の情報端末機収納ケース。
【請求項４】
前記収納ケース本体の周縁上端部から背面部の下方に向けて情報端末機のカメラレンズ部を回避する形状に延設される板状クリップを設けたことを特徴とする請求項１記載から請求項３の何れか記載の情報端末機収納ケース。
【請求項５】
前記収納ケース本体の背面部の下方を刳り貫くと共に、該刳り貫いた背面部の一部を連結させた状態で取り出しならびに収納ができる立掛けスタンドを設けたことを特徴とする請求項１記載から請求項４の何れか記載の情報端末機収納ケース。
【発明の詳細な説明】
【技術分野】
【０００１】
本発明は、ストラップ保持機能と、クリップ係止機能と、スタンド立掛け機能と、を備えて情報端末機の使用目的に合わせて多様に係止・保持することができる情報端末機収納ケースに関する。
【背景技術】
【０００２】
従来から使用されている情報端末機の収納ケースの多くは、携帯時の保持機能や、落下による破損防止機能、使用頻度によるキズ防止機能、電磁波遮断機能、お洒落デザイン機能などを有して多様な形態で提供されている。
【０００３】
しかしながら、上記の情報端末機収納ケースは、薄型の情報端末機の収納ケースという限定的に制約のある形状から、それらの機能を一または二つ程度装着して商品化されているものが多かった。
【０００４】
上記の実例としては、例えば、胸回り締付留具付き紐体と肩掛け留具付き紐体を携帯電話収納ケースに連結した「装着用携帯電話ケース」（特許文献１参照）が提案されている。しかしながら、該装着用携帯電話ケースの提案は、皮製また布製の携帯電話ケースの本体に身体装着用の締付留具付き紐体を設けた装着機能を備えたものに過ぎないことから、情報端末機の使用目的に合わせて多様に係止・保持することができないものであった。
【０００５】
また、スマートフォンケースの裏面に差し込み型のクリップを設けた「差し込み型クリップ付スマートフォンケース」（特許文献２参照）が提案されている。しかしながら、該差し込み型クリップ付スマートフォンケースの提案は、スマートフォンケースの裏面に差し込み型のクリップ係止機能を備えたものに過ぎないことから、情報端末機の使用目的に合わせて多様に係止・保持することができないものであった。
【０００６】
また、保持ケースの一短辺側に枢着される門型の支持枠と保持ケースの裏壁部に横置き姿勢と縦置き姿勢を可能とする折り畳み支持部を備えた「スマートフォンケース」（特許文献３参照）が提案されている。しかしながら、該スマートフォンケースの提案は、保持ケースに門型のならびに折り畳み式の立て掛けスタンドを備えたものに過ぎないことから、情報端末機の使用目的に合わせて多様に係止・保持することができないものであった。
【０００７】
以上のように従来の情報端末機収納ケースは、ストラップ保持機能と、クリップ係止機能と、スタンド立掛け機能と、を備えてセルフィ撮影、ハンズフリー撮影、ウエアブルアクション撮影などの使用目的に合わせて多様に係止・保持することができる情報端末機収納ケースではなかった。
【０００８】
本出願人は、上記におけるストラップ保持機能と、クリップ係止機能と、スタンド立掛け機能と、が個別に装着されている従来の情報端末機の収納ケースに着目し、簡易的な構造と安価な手段でもって情報端末機のセルフィ撮影、ハンズフリー撮影、ウエアブルアクション撮影に合わせて情報端末機収納ケースを多様に係止・保持することができないものかという着想の下、ストラップ保持機能と、クリップ係止機能と、スタンド立掛け機能と、を備えて情報端末機の使用目的に合わせて多様に係止・保持することができる情報端末機収納ケースを開発し、本発明における「情報端末機収納ケース」の提案に至るものである。
【先行技術文献】
【特許文献】
【０００９】
【特許文献１】実用新案登録第３０００４７８号
【特許文献２】実用新案登録第３１７０１８２号
【特許文献３】特開２０１３−１５０３３１号
【発明の概要】
【発明が解決しようとする課題】
【００１０】
本発明は上記問題点に鑑み、ストラップ保持機能と、クリップ係止機能と、スタンド立掛け機能と、を備えて情報端末機の使用目的に合わせて多様に係止・保持することができる情報端末機収納ケースの提供を図ることを目的とする。
【課題を解決するための手段】
【００１１】
本発明は上記課題を解決するためになされるもので、本発明の情報端末機収納ケースは、情報端末機を係止・保持する情報端末機収納ケースであって、前記情報端末機収納ケースは、情報端末機が収納される収納ケース本体の前面を四角形状に刳り貫き、該刳り貫かれた開口部の周縁に内側方向に突出する縁取り舌片を周設すると共に、該収納ケース本体の背面部には情報端末機のカメラレンズ部を回避するレンズ穴を設け、前記収納ケース本体の外形周縁の四隅コーナー部には外側方向に突出するストラップ通し部を形成し、該ストラップ通し部に形成されている差し込みスリットを備えるストラップ通し穴に長さ調節機能を備えるストラップを挿通させてストラップ通し部間の長さを其々調節することによって、情報端末機の使用目的に合わせて多様に係止・保持することができる手段を採る。
【００１２】
また、本発明の情報端末機収納ケースは、前記収納ケース本体の外形周縁の四隅コーナー部に外側方向に突出するストラップ通し部を形成し、該ストラップ通し部の対角線を挟んで対称に形成される貫通孔にリング差し込みスリットを通してストラップ挿通リングを貫入させると共に、該ストラップ挿通リングに長さ調節機能を備えるストラップを挿通させてストラップ通し部間の長さを其々調節することができる手段を採る。
【００１３】
また、本発明の情報端末機収納ケースは、前記収納ケース本体の外形周縁の四隅コーナー部に対角線を挟んで対称に形成される係止突起を設け、門型状に形成され、且つコーナー状に延設される内壁側部に係止穴を設けたストラップ挿通カバーを前記コーナー部の係止突起に当接させて落とし込み、該ストラップ挿通カバーを装着することによって形成されるストラップ通し穴に長さ調節機能を備えるストラップを挿通させてストラップ通し部間の長さを其々調節することができる手段を採る。
【００１４】
また、本発明の情報端末機収納ケースは、前記収納ケース本体の周縁上端部から背面部の下方に向けて情報端末機のカメラレンズ部を回避する形状に延設される板状クリップを設けた手段を採る。
【００１５】
また、本発明の情報端末機収納ケースは、前記収納ケース本体の背面部の下方を刳り貫くと共に、該刳り貫いた背面部の一部を連結させた状態で取り出しならびに収納ができる立掛けスタンドを設けた手段を採る。
【発明の効果】
【００１６】
本発明の情報端末機収納ケースによれば、ストラップ通し穴に長さ調節機能を備えるストラップを挿通させてストラップ通し部間の長さを其々調節することによって、セルフィ撮影、ハンズフリー撮影、ウエアブルアクション撮影など情報端末機の使用目的に合わせて多様に係止・保持することができるといった優れた効果を奏する。
【００１７】
また、本発明の情報端末機収納ケースによれば、スマートフォンの待受け画面をセキュリティ認証画面とすることによって、従来首から下げていたセキュリティ認証カードの代替えとすることができると共に、情報端末機のディスプレイ画像を利用して多様な情報発信ツールとして使用することができるといった優れた効果を奏する
【００１８】
また、本発明の情報端末機収納ケースによれば、情報端末機収納ケースのストラップを取り外すことによって、従来使用している状態と変わらない状態で情報端末機を使用することができると共に、情報端末機のストラップ通し穴に長さ調節機能を備えるストラップを挿通させてストラップ通し部間の長さを其々調節することによって、図２、図４、図６に示すような情報端末機の使用目的に合わせて多様に係止・保持することができるといった優れた効果を奏する。
【００１９】
また、本発明の情報端末機収納ケースによれば、ストラップ挿通リングに長さ調節機能を備えるストラップを挿通させてストラップ通し部間の長さを其々調節することによって、情報端末機の使用目的に合わせて多様に係止・保持することができるといった優れた効果を奏する。
【００２０】
また、本発明の情報端末機収納ケースによれば、ストラップ挿通カバーを設けることによって形成されるストラップ通し穴に長さ調節機能を備えるストラップを挿通させてストラップ通し部間の長さを其々調節することによって、情報端末機の使用目的に合わせて多様に係止・保持することができるといった優れた効果を奏する。
【００２１】
また、本発明の情報端末機収納ケースによれば、収納ケース本体の周縁上端部から背面部の下方に向けて情報端末機のカメラレンズ部を回避する形状に延設される板状クリップを設けることによって、情報端末機を取り出しやすい身近な箇所に常時固定・保持することができると共に、落下による破損や、携帯時の携帯位置の確認が常時できるといった優れた効果を奏する。
【００２２】
また、本発明の情報端末機収納ケースによれば、収納ケース本体の背面部の下方を刳り貫くと共に、該刳り貫いた背面部の一部を利用して形成される立掛けスタンドを設けて縦横自在にディスプレイ画面を傾けることによって、リラックスした体勢で動画やＴＶ放送の観賞ができるといった優れた効果を奏する。
【図面の簡単な説明】
【００２３】
【図１】本発明の情報端末機収納ケースにおける請求項１記載の実施形態を示す説明図である。（実施例１）
【図２】本発明の情報端末機収納ケースにおける請求項２記載の実施形態を示す説明図である。（実施例２）
【図３】本発明の情報端末機収納ケースにおける請求項３記載の実施形態を示す説明図である。（実施例３）
【図４】本発明の情報端末機収納ケースにおける請求項１記載の使用状態を示す説明図である。
【図５】本発明の情報端末機収納ケースにおける請求項４記載の実施形態を示す説明図である。（実施例４）
【図６】本発明の情報端末機収納ケースにおける請求項４記載の使用状態を示す説明図である。
【図７】本発明の情報端末機収納ケースにおける請求項５記載の実施形態を示す説明図である。（実施例５）
【図８】本発明の情報端末機収納ケースにおける請求項５記載の使用状態を示す説明図である。
【発明を実施するための形態】
【００２４】
本発明は、情報端末機Ｈを係止・保持する情報端末機収納ケース１０であって、該情報端末機収納ケース１０は、情報端末機Ｈが収納される収納ケース本体２０の前面を四角形状に刳り貫き、該刳り貫かれた開口部２１の周縁に内側方向に突出する縁取り舌片２２を周設すると共に、該収納ケース本体２０の背面部には情報端末機Ｈのカメラレンズ部を回避するレンズ穴２３を設け、収納ケース本体２０の外形周縁の四隅コーナー部には外側方向に突出するストラップ通し部２４を設け、該ストラップ通し部２４に形成されている差し込みスリット２６を備えるストラップ通し穴２５に長さ調節機能Ｎを備えるストラップＳを挿通させてストラップ通し部２４間の長さを其々調節することによって、情報端末機Ｈの使用目的に合わせて多様に係止・保持することができる手段を採ったことを最大の特徴とする。以下、本発明の実施形態を図面を基に説明する。
【００２５】
尚、本発明における情報端末機収納ケース１０は、以下に述べる実施例に限定されるものではなく、本発明の技術的思想の範囲内、すなわち同一の作用効果を発揮できる形状及び寸法の範囲内で適宜変更することができる。
【実施例１】
【００２６】
図１は、本発明の情報端末機収納ケースにおける請求項１記載の実施形態を示す説明図である。
図１（a）は全体斜視図を示し、図１（b）は断面図を示す。
本発明の情報端末機収納ケース１０は、情報端末機Ｈが収納される収納ケース本体２０の前面を四角形状に刳り貫き、該刳り貫かれた開口部２１の周縁に内側方向に突出する縁取り舌片２２を周設すると共に、該収納ケース本体２０の背面部には情報端末機Ｈのカメラレンズ部を回避するレンズ穴２３を設け、収納ケース本体２０の外形周縁の四隅コーナー部には外側方向に突出するストラップ通し部２４を形成し、該ストラップ通し部２４に形成されている差し込みスリット２６を備えるストラップ通し穴２５に長さ調節機能Ｎを備えるストラップＳを挿通させてストラップ通し部２４間の長さを其々調節することができる機能を有して形成される。
【００２７】
縁取り舌片２２は、収納ケース本体２０の情報端末機Ｈが収納される前面を四角形状に刳り貫き、該刳り貫かれた開口部２１の周縁に内側方向に突出する形状に形成されるもので、収納ケース本体２０内に収納された情報端末機Ｈが刳り貫かれた開口部２１から飛び出して落下しない最小限度の突出量をもって情報端末機Ｈを係止・保持する形状で形成される。
また、縁取り舌片２２が設けられる手段は、収納ケース本体２０と一体成型されて形成される形式と、縁取り舌片２２が型枠状に一体成型されて収納ケース本体２０の開口部２１に嵌め込まれる形式の２通りが考えられる。
【００２８】
ストラップ通し部２４は、収納ケース本体２０の外形周縁の四隅コーナー部に外側方向に差し込みスリット２６とストラップ通し穴２５を形成して突設されるもので、外形周縁の四隅コーナー部に突設されることによって、情報端末機Ｈの使用目的に合わせて多様に係止・保持することができる形状に形成される。
【００２９】
ストラップ通し穴２５は、収納ケース本体２０の外形周縁の四隅コーナー部に位置するストラップ通し部２４が其々設けられ、情報端末機収納ケース１０全体を保持する役割と、ストラップＳの長さを調整する役割と、通し穴の形状が略９０°折曲してストラップＳの緩みを防止する役割を果たす目的で形成される。
【００３０】
差し込みスリット２６は、ストラップ通し穴２５をＴ字状に二つ割りにする位置に形成されてストラップＳをストラップ通し穴２５から瞬時に挿脱可能に形成される。
また、差し込みスリット２６が設けられる位置は、収納ケース本体２０の前後方向の何れかに設けることもできる。
【００３１】
ストラップＳは、ストラップ通し穴２５に長さ調節バックルなどの長さ調節機能Ｎを備えるストラップＳを挿通させてストラップ通し部２４間の長さを其々調節できるもので、情報端末機Ｈの使用目的に合わせて多様に係止・保持することができる形状に形成される。
【００３２】
また、長さ調節バックルなどの長さ調節機能Ｎは、予め取り付けられているものの外に、着脱自在に取り付けることができるものを追加して使用することによって、情報端末機Ｈの使用目的に合わせて多様に係止・保持することができる。
【００３３】
また、ストラップＳ自体を伸縮性を有する素材で形成したり、ストラップＳの中間に伸縮機能を有する留め具を適宜位置に連結することで、ストラップＳを収納ケース本体２０から容易に脱着・係止することができる。
【００３４】
また、ストラップＳの形状は特に限定されるものではないが、平形形状としてストラップ通し穴２５に挿通することによって、情報端末機Ｈの使用目的に合わせて多様に係止・保持することができる。
【００３５】
以上の形態で使用される本発明の情報端末機収納ケース１０は、長さ調節機能Ｎを備えるストラップＳと、収納ケース２０の四隅にストラップ通し部２４を設けてストラップ通し部２４間のストラップＳの長さを適宜に調節することによって、情報端末機Ｈの使用目的に合わせて多様に係止・保持することができる情報端末機収納ケース１０の提供が図られる。
【実施例２】
【００３６】
図２は、本発明の情報端末機収納ケースにおける請求項２記載の実施形態を示す説明図である。
図２（a）は全体斜視図を示し、図２（b）は一部拡大図を示す。
本発明の情報端末機収納ケース１０は、収納ケース本体２０の外形周縁の四隅コーナー部に外側方向に突出するストラップ通し部２４を形成し、該ストラップ通し部２４の対角線を挟んで対称に形成される貫通孔２７にリング差し込みスリット２８を通してストラップ挿通リング３７を貫入させると共に、該ストラップ挿通リング３７に長さ調節機能Ｎを備えるストラップＳを挿通させてストラップ通し部２４間の長さを其々調節することによって、情報端末機Ｈの使用目的に合わせて多様に係止・保持することができる形状に形成される。
【００３７】
ストラップ挿通リング３７は、金属棒を角形に屈曲成形して形成されるもので、ストラップＳを挿通させた状態で収納ケース本体２０のストラップ通し部２４に取り付けることによって、ストラップＳを必要時に応じて容易に挿脱することができるように組み付けることができる。
【００３８】
以上の形態で使用される本発明の情報端末機収納ケース１０は、長さ調節機能Ｎを備えるストラップＳと、収納ケース２０の四隅にストラップ通し部２４を設けてストラップ通し部２４間のストラップＳの長さを適宜に調節することによって、情報端末機Ｈの使用目的に合わせて多様に係止・保持することができる情報端末機収納ケース１０の提供が図られる。
【実施例３】
【００３９】
図３は、本発明の情報端末機収納ケースにおける請求項３記載の実施形態を示す説明図である。
図３（a）は全体斜視図を示し、図３（b）は一部拡大図を示す。
本発明の情報端末機収納ケース１０は、収納ケース本体２０の外形周縁の四隅コーナー部に対角線を挟んで対称に形成される係止突起２９を設け、門型状に形成され、且つコーナー状に延設される内壁側部３８aに係止穴３９を設けたストラップ挿通カバー３８をコーナー部の係止突起２９に当接させて落とし込み、該ストラップ挿通カバー３８を装着することによって形成されるストラップ通し穴２５に長さ調節機能Ｎを備えるストラップＳを挿通させてストラップ通し部２４間の長さを其々調節することによって、情報端末機Ｈの使用目的に合わせて多様に係止・保持することができる形状に形成される。
尚、係止突起２９ならびに係止穴３９の形状は、其々逆の形状であっても良いもので、さらにその係止される構造が互いに係止し合う形状であれば特にその形状について言及はしない。  
【００４０】
ストラップ挿通カバー３８は、収納ケース本体２０と同じ材質で成形されて取り付けられるもので、収納ケース本体２０にストラップ挿通カバー３８が装着されることで形成されるストラップ通し穴２５にストラップＳを挿通させることによって、ストラップＳを必要時に応じて容易に挿脱することができるように組み付けることができる。
【００４１】
以上の形態で使用される本発明の情報端末機収納ケース１０は、長さ調節機能Ｎを備えるストラップＳと、収納ケース２０の四隅にストラップ通し部２４を設けてストラップ通し部２４間のストラップＳの長さを適宜に調節することによって、情報端末機Ｈの使用目的に合わせて多様に係止・保持することができる情報端末機収納ケース１０の提供が図られる。
【００４２】
図４は、本発明の情報端末機収納ケースにおける請求項１記載の使用状態を示す説明図である。
図４（a）はストラップＳを首部に掛けた使用状態を示す。
ストラップＳのループＳ1を最長とし、ループＳ2とループＳ3とループＳ4を最短としてストラップＳの長さを調節して情報端末機Ｈを多様に係止・保持することができる。また、就労時に使用されることで、セキュリティ認証用、通話用、情報収集・発信用として機能的に利用される。また、子供が使用する場合は、通学時の携帯用として利用することができる。
【００４３】
図４（b）はストラップＳを首部と腹部に掛けた状態を示す。
ストラップＳのループＳ1を最長とし、ループＳ2とループＳ3とループＳ4を最短としてストラップＳの長さを調節し、ループＳ1に延長ストラップＬを連結すると共に、ループＳ2に着脱クリップＣを連結して情報端末機Ｈを多様に係止・保持することができる。主に情報端末機Ｈの画像を見ながら作業する場合に使用すると便利なもので、例えば、料理、絵画、習い事、組み立て分解作業に利用することができる。
【００４４】
図４（c）はストラップＳを頭部に固定した使用状態を示す。
ストラップＳのループＳ1とループＳ2を最長とし、ループＳ3とループＳ4を最短としてストラップＳの長さを調節して情報端末機Ｈを多様に係止・保持することができる。主にセルフィ撮影、ハンズフリー撮影、ウエアブルアクション撮影に使用することで、旅行、作業、料理、登山、散歩、自動車やバイク、自転車の運転時に利用することができる。
【００４５】
図４（d）はストラップＳを耳部に当てた使用状態を示す。
ストラップＳのループＳ1とループＳ2を最短とし、ループＳ3とループＳ4を最長としてストラップＳの長さを調節して情報端末機Ｈを多様に係止・保持することができる。主に情報端末機Ｈを耳部に当てながらハンズフリーで通話する時に使用すると便利なもので、例えば、相手の話を聞きながら作業したり、メモを取ったりする場合や、音楽を聴きながら利用することができる。
【００４６】
図４（e）はストラップＳを腕部に巻いた使用状態を示す。
ストラップＳのループＳ1とループＳ2を最長とし、ループＳ3とループＳ4を最短として腕部をループＳ1とループＳ2に通してストラップＳの長さを調節することで情報端末機Ｈを多様に係止・保持することができる。例えば、セルフィ撮影や人ごみでの携帯歩行時に利用することができる。
【００４７】
図４(ｆ)はストラップＳを手首に巻いた使用状態を示す。
ストラップＳのループＳ1を最長とし、ループＳ2とループＳ3とループＳ4を最短として手首をループＳ1に通してストラップＳの長さを調節することで情報端末機Ｈを多様に係止・保持することができる。主にハンズフリーの作業時や通常歩行時に利用することができる。
【００４８】
図４（g）はストラップＳを足首に巻いた使用状態を示す。
ストラップＳのループＳ1とループＳ2を最長とし、ループＳ3とループＳ4を最短として足首をループＳ1とループＳ2に通してストラップＳの長さを調節することで情報端末機Ｈを多様に係止・保持することができる。主に寝転んで胡坐をかいたリラックスした状態で利用することができる。
【００４９】
図４（h）はストラップＳを天井に吊るした使用状態を示す。
ストラップＳのループＳ1とループＳ2とループＳ3とループＳ4を吊るした状態で水平に成るように適宜ストラップＳの長さを調節して天井または壁から吊るした洗濯紐Ｒに結びつけることで情報端末機Ｈを空中で係止・保持することができる。主にベットやソファなどで仰向けに寝転んだ状態で画像観賞する時に利用することができる。
【００５０】
図４（i）はストラップＳを自動車のサンバイザーに掛けた使用状態を示す。
ストラップＳのループＳ1とループＳ2を最長とし、ループＳ3とループＳ4を最短としてサンバイザーをループＳ1とループＳ2に通してストラップＳの長さを調節することで情報端末機Ｈをサンバイザーに係止・保持するものである。主にドライブ時のドライブレコーダー、携帯ナビ、駐車休憩時の画像観賞に利用することができる。
【００５１】
図４（j）はストラップＳをバイクや自転車のハンドルに掛けた使用状態を示す。
ストラップＳのループＳ1とループＳ2を最長とし、ループＳ3とループＳ4を最短としてバイクや自転車のハンドルをループＳ1とループＳ2に通してストラップＳの長さを調節することで情報端末機Ｈをバイクや自転車のハンドルに係止・保持するものである。主にツーリングやサイクリングに利用することができる。
【００５２】
以上の形態で使用される本発明の情報端末機収納ケース１０は、ストラップＳの長さを適宜に調節することによって、情報端末機Ｈの使用目的に合わせて多様に係止・保持することができる情報端末機収納ケース１０の提供が図られる。
【実施例４】
【００５３】
図５は、本発明の情報端末機収納ケースにおける請求項４記載の実施形態を示す説明図である。
図５（a）は全体斜視図を示し、図５（b）は断面図を示す。
本発明の情報端末機収納ケース１０は、収納ケース本体２０の周縁上端部から背面部の下方に向けて情報端末機Ｈのカメラレンズ部を回避する形状に延設される板状クリップ３０を設けて形成される。
【００５４】
板状クリップ３０は、収納ケース本体２０の周縁上端部から背面部の下方に向けて略Ｌ字状に延設され、情報端末機Ｈのカメラレンズ部を回避する板状に形成される。クリップ挟持力を効果的に維持させるために、板状クリップ３０の途中に横桟状の押し付け突起３６を設けて形成される。
【００５５】
図６は、本発明の情報端末機収納ケースにおける請求項４記載の使用状態を示す説明図である。
図６（a）は板状クリップ３０を洋服の胸ポケットに掛けた使用状態を示す。
ストラップＳ自体を外して使用するか、または丸めた状態に収納して使用されるもので、情報端末機Ｈを洋服の胸ポケットに掛けた状態でシンプルに係止・保持することができる。また、情報端末機Ｈが洋服の胸ポケットに着脱自在に係止・保持されることから、必要に応じて即通話できる状態で常時携帯しておくことができる。
【００５６】
図６（b）は板状クリップ３０をカバンのポケットに掛けた使用状態を示す。
ストラップＳ自体を外して使用するか、または丸めた状態に収納して使用されるもので、情報端末機Ｈをカバンのポケットに掛けた状態で携帯して係止・保持することができる。また、情報端末機Ｈがカバンのポケットに着脱自在に係止・保持されることから、必要に応じて即通話できる状態で常時手持ちのカバンに携帯しておくことができる。
【００５７】
図６（c）は板状クリップ３０をベルトに掛けた使用状態を示す。
ストラップＳ自体を外して使用するか、または丸めた状態に収納して使用されるもので、情報端末機Ｈをベルトに掛けた状態で携帯して係止・保持することができる。
また、情報端末機Ｈがベルトに掛けた状態で着脱自在に係止・保持されることによって、必要に応じて即通話できる状態で常時携帯しておくことができる。
【００５８】
図６（d）は板状クリップ３０を写真撮影用の三脚にセットした使用状態を示す。
ストラップ自体を外して使用するか、または丸めた状態に収納して使用されるもので、情報端末機Ｈを写真撮影用の三脚にセットした状態で携帯して係止・保持することができる。
また、情報端末機Ｈが写真撮影用の三脚のアタッチメントを介して簡単にセットすることができることから、一人旅行時のセルフィ撮影や三脚撮影に利用することができる。
【００５９】
図６（e）は板状クリップ３０をハンガーに吊るした洋服のポケットに掛けた使用状態を示す。
ストラップＳ自体を外して使用するか、または丸めた状態に収納して使用されるもので、情報端末機Ｈをハンガーに吊るした洋服のポケットに掛けた状態で係止・保持することができる。また、室内のハンガーに吊るした洋服のポケットに掛けて情報端末機Ｈのカメラレンズ部を露出させた状態で係止・保持することによって定点撮影が可能となることから、幼児や子供の監視、ペットの監視、身障者や老人の一人暮らし生活状況の監視、防犯カメラなどの定点撮影用に利用することができる。
【００６０】
図６（ｆ）は板状クリップ３０を自動車のサンバイザーのポケットに掛けた使用状態を示す。
ストラップＳ自体を外して使用するか、または丸めた状態に収納して使用されるもので、情報端末機Ｈを自動車のサンバイザーのポケットに掛けた状態で係止・保持することができる。主に携帯ナビ、駐車休憩時の運転席での画像観賞に利用することができる。
【００６１】
以上の形態で使用される本発明の情報端末機収納ケース１０は、単に洋服やカバンのポケットに板状クリップ３０を掛けることによって、情報端末機Ｈを多様に係止・保持することができる。
【実施例５】
【００６２】
図７は、本発明の情報端末機収納ケースにおける請求項５記載の実施形態を示す説明図である。
本発明の情報端末機収納ケース１０は、収納ケース本体２０の背面部の下方を刳り貫くと共に、該刳り貫いた背面部の一部を連結させた状態で取り出しならびに収納ができる立掛けスタンド３１を設けて形成される。
【００６３】
立掛けスタンド３１は、収納ケース本体２０の背面部の下方を刳り貫いて形成されるもので、立掛けスタンド３１の中央には、スタンドの開脚に伴って収納ケース本体２０から容易に取り出すことができる取り出し機能３２を備えている。該取り出し機能３２は、立掛けスタンド３１を刳り貫いた係止穴３４と情報端末機Ｈの背面に貼着される係止片３５で構成され、係止片３５の周縁に設けられる係止突起３３によって係止片３５と係止穴３４が嵌合状態で係止されることによって、立掛けスタンド３１が収納ケース本体２０から自然に開離することなく常時係着状態を維持する形状を有して形成される。
【００６４】
図８は、本発明の情報端末機収納ケースにおける請求項５記載の使用状態を示す説明図である。
図８（a）はスマートフォンを横向きにした使用状態を示す。
ストラップＳ自体を外して使用するか、または丸めた状態に収納して使用されるもので、収納ケース本体２０の背面部の下方を刳り貫くと共に、該刳り貫いた背面部の一部を利用して形成される立掛けスタンド３１を用いて横型に立て掛けた状態で使用されるものである。主に情報端末機Ｈを横向きの状態にして机の上に置いた状態でビジネス時や休憩時の画像観賞や一時保管に利用することができる。
【００６５】
図８（b）はスマートフォンを縦向きにした使用状態を示す。
ストラップＳ自体を外して使用するか、または丸めた状態に収納して使用されるもので、収納ケース本体２０の背面部の下方を刳り貫くと共に、該刳り貫いた背面部の一部を利用して形成される立掛けスタンド３１用いて縦型に立て掛けた状態で使用されるものである。主に情報端末機Ｈを縦向きの状態にして机の上に置いた状態でビジネス時や休息時の画像観賞や一時保管に利用することができる。
【００６６】
以上の形態で使用される本発明の情報端末機収納ケース１０は、収納ケース本体２０の背面部の下方を刳り貫くと共に、該刳り貫いた背面部の一部を利用して形成される立掛けスタンド３１が設けられていることによって、携帯時においても薄型状態で携帯することができると共に、立て掛け時においても立掛けスタンド３１を情報端末機収納ケース１０から容易に引き出すことができる。
【産業上の利用可能性】
【００６７】
本発明の情報端末機収納ケースは、ストラップ保持機能と、クリップ保持機能と、スタンド立掛け機能と、を備えて情報端末機の使用目的に合わせて本実施例だけでも１８通りの方法をもって多様に係止・保持することができることから、本発明における「情報端末機収納ケース」の産業上の利用可能性は極めて高いものと解する。
【符号の説明】
【００６８】
１０  情報端末機収納ケース
２０  収納ケース本体
２１  開口部
２２  縁取り舌片
２３  レンズ穴
２４  ストラップ通し部
２５  ストラップ通し穴
２６  差し込みスリット
２７  貫通孔
２８  リング差し込みスリット
２９  係止突起
３０  板状クリップ
３１  立掛けスタンド
３２  取り出し機能
３３  係止突起
３４  係止穴
３５  係止片
３６  押し付け突起
３７  ストラップ挿通リング
３８  ストラップ挿通カバー
３８a 内壁側部
３９  係止穴  
Ｓ    ストラップ
Ｓ1   ループ
Ｓ2   ループ
Ｓ3   ループ
Ｓ4   ループ
Ｎ    長さ調節機能
Ｈ    情報端末機
Ｒ    洗濯紐
Ｌ    延長ストラップ
Ｃ    着脱クリップ
【要約】
【課題】ストラップ保持機能と、クリップ係止機能と、スタンド立掛け機能と、を備えて情報端末機の使用目的に合わせて多様に係止・保持することができる情報端末機収納ケースの提供を図る。
【解決手段】情報端末機を係止・保持する情報端末機収納ケースであって、情報端末機収納ケースは、情報端末機が収納される収納ケース本体の前面を四角形状に刳り貫き、該刳り貫かれた開口部の周縁に内側方向に突出する縁取り舌片を周設すると共に、該収納ケース本体の背面部には情報端末機のカメラレンズ部を回避するレンズ穴を設け、収納ケース本体の外形周縁の四隅コーナー部には外側方向に突出するストラップ通し部を形成し、該ストラップ通し部に形成されている差し込みスリットを備えるストラップ通し穴に長さ調節機能を備えるストラップを挿通させてストラップ通し部間の長さを其々調節することによって、情報端末機の使用目的に合わせて多様に係止・保持する手段を採る。
【選択図】図１【図１】
0005711414.tif 000002
【図２】
0005711414.tif 000003
【図３】
0005711414.tif 000004
【図４】
0005711414.tif 000005
【図５】
0005711414.tif 000006
【図６】
0005711414.tif 000007
【図７】
0005711414.tif 000008
【図８】
0005711414.tif 000009